(57)【要約】【課題】表示装置が配置された場所を訪れた人物に対して、単にコンテンツを提供するのではなく、あたかもその表示装置から直接コンテンツが届いたかのような視覚的な効果を与える。【解決手段】表示装置２０は、複数のコンテンツのいずれかのコンテンツと関連付けられている複数の第１オブジェクト画像ＤＥ１〜ＤＥ４を、表示面２４１に表示する。表示装置２０に携帯端末４０が近接すると、表示装置２０は、第１オブジェクト画像ＤＥ１〜ＤＥ４を、１つずつ順番に、表示面２４１の上端部に近づく方向（例えば、真上の方向）に移動させる。次に、携帯端末４０は、表示面２４１の上端部の位置を通過したオブジェクト画像に対応するオブジェクト画像を、表示面４４１の上端部の位置に表示させ、更にその上端部から離れる方向（例えば、真下の方向）に移動させる。更に、携帯端末４０は、上記複数のコンテンツをダウンロードする。【選択図】図１０
2018049197.tif 000002
【特許請求の範囲】
【請求項１】
１又は複数のコンテンツを記憶するコンテンツ記憶部と、
表示装置の第１表示面に、いずれかの前記コンテンツと関連付けられている１又は複数の第１オブジェクト画像を表示させるための第１表示制御データを、前記表示装置へ送信する第１表示制御部と、
前記表示装置に携帯端末が近接したことを検知する検知部と、
前記近接が検知された場合、少なくともいずれかの前記第１オブジェクト画像を前記第１表示面の第１端部に近づく方向に移動させるための第２表示制御データを、前記表示装置へ送信する第２表示制御部と、
前記第１端部の位置を通過した前記第１オブジェクト画像に対応する第２オブジェクト画像を、前記携帯端末の第２表示面の第２端部の位置に表示させ、更に前記第２端部から離れる方向に移動させるための第３表示制御データを、前記携帯端末へ送信する第３表示制御部と、
移動した前記第１オブジェクト画像に関連付けられているコンテンツを、前記携帯端末へ送信するコンテンツ送信部と
を備えるサーバ装置。
【請求項２】
前記第２表示制御部は、
第１方向に前記第１オブジェクト画像を移動させ、
前記第３表示制御部は、
前記第１方向の反対の成分を有する第２方向に、前記第２オブジェクト画像を移動させる
ことを特徴とする請求項１に記載のサーバ装置。
【請求項３】
前記第２表示制御部は、
前記第１オブジェクト画像の移動方法を、所定の条件に応じて変化させる
ことを特徴とする請求項１又は請求項２に記載のサーバ装置。
【請求項４】
前記条件は、前記表示装置と前記携帯端末との位置関係を含む
ことを特徴とする請求項３に記載のサーバ装置。
【請求項５】
前記条件は、前記表示装置の周辺における人の混雑度を含む
ことを特徴とする請求項３又は請求項４に記載のサーバ装置。
【請求項６】
前記条件は、前記コンテンツの属性を含む
ことを特徴とする請求項３から請求項５のいずれか１項に記載のサーバ装置。
【請求項７】
前記移動方法は、前記第１オブジェクト画像が移動する方向、速さ、２以上の前記第１オブジェクト画像が移動する場合の移動の順番、及び前記第１オブジェクト画像の表示態様のうちの１つ以上を含む
ことを特徴とする請求項３から請求項６のいずれか１項に記載のサーバ装置。
【請求項８】
前記第３表示制御部は、
前記第１オブジェクト画像の移動方法に応じた移動方法で、前記第２オブジェクト画像を移動させる
ことを特徴とする請求項１から請求項７のいずれか１項に記載のサーバ装置。
【請求項９】
１又は複数のコンテンツを記憶するコンテンツ記憶部と、
第１表示面を有する表示装置と、
前記第１表示面に、いずれかの前記コンテンツと関連付けられている１又は複数の第１オブジェクト画像を表示させる第１表示制御部と、
前記表示装置に携帯端末が近接したことを検知する検知部と、
前記近接が検知された場合、少なくともいずれかの前記第１オブジェクト画像を前記第１表示面の第１端部に近づく方向に移動させる第２表示制御部と、
前記第１端部の位置を通過した前記第１オブジェクト画像に対応する第２オブジェクト画像を、前記携帯端末の第２表示面の第２端部の位置に表示させ、更に前記第２端部から離れる方向に移動させる第３表示制御部と、
移動した前記第１オブジェクト画像に関連付けられているコンテンツを、前記携帯端末へ送信するコンテンツ送信部と
を備えるコンテンツ配信システム。
【請求項１０】
表示装置の第１表示面に、１又は複数のコンテンツのうちのいずれかのコンテンツと関連付けられている１又は複数の第１オブジェクト画像を表示させるステップと、
前記表示装置に携帯端末が近接したことを検知するステップと、
前記近接が検知された場合、少なくともいずれかの前記第１オブジェクト画像を前記第１表示面の第１端部に近づく方向に移動させるステップと、
前記第１端部の位置を通過した前記第１オブジェクト画像に対応する第２オブジェクト画像を、前記携帯端末の第２表示面の第２端部の位置に表示させ、更に前記第２端部から離れる方向に移動させるステップと、
移動した前記第１オブジェクト画像に関連付けられているコンテンツを、前記携帯端末へ送信するステップと
を有するコンテンツ配信方法。
【発明の詳細な説明】
【技術分野】
【０００１】
本発明は、所定の場所を訪れた人物の携帯端末に、その場所に応じたコンテンツを配信する技術に関する。
【背景技術】
【０００２】
所定の場所を訪れた人物に対して、携帯端末経由で、その場所に応じたコンテンツを提供するサービスがある。特許文献１には、携帯端末が接続したアクセポイントに応じたコンテンツを、その携帯端末に対して、予め指定された言語にて配信するためのシステムが記載されている。
【先行技術文献】
【特許文献】
【０００３】
【特許文献１】特開２０１６−９４４６号公報
【発明の概要】
【発明が解決しようとする課題】
【０００４】
特許文献１に記載の技術では、携帯端末は、アクセスポイントとの接続を自動的に確立し、そのアクセスポイント経由で、コンテンツを取得する。よって、携帯端末のユーザは、コンテンツを取得するために、携帯端末の表示を見たり、携帯端末を操作したりする必要がない。
これに対し、本発明は、表示装置が配置された場所を訪れた人物に対して、単にコンテンツを提供するのではなく、あたかもその表示装置から直接コンテンツが届いたかのような視覚的な効果を与えることを目的とする。
【課題を解決するための手段】
【０００５】
上述した課題を解決するため、本発明のサーバ装置は、１又は複数のコンテンツを記憶するコンテンツ記憶部と、表示装置の第１表示面に、いずれかの前記コンテンツと関連付けられている１又は複数の第１オブジェクト画像を表示させるための第１表示制御データを、前記表示装置へ送信する第１表示制御部と、前記表示装置に携帯端末が近接したことを検知する検知部と、前記近接が検知された場合、少なくともいずれかの前記第１オブジェクト画像を前記第１表示面の第１端部に近づく方向に移動させるための第２表示制御データを、前記表示装置へ送信する第２表示制御部と、前記第１端部の位置を通過した前記第１オブジェクト画像に対応する第２オブジェクト画像を、前記携帯端末の第２表示面の第２端部の位置に表示させ、更に前記第２端部から離れる方向に移動させるための第３表示制御データを、前記携帯端末へ送信する第３表示制御部と、移動した前記第１オブジェクト画像に関連付けられているコンテンツを、前記携帯端末へ送信するコンテンツ送信部とを備える。
【０００６】
本発明のサーバ装置において、前記第２表示制御部は、第１方向に前記第１オブジェクト画像を移動させ、前記第３表示制御部は、前記第１方向の反対の成分を有する第２方向に、前記第２オブジェクト画像を移動させてもよい。
【０００７】
本発明のサーバ装置において、前記第２表示制御部は、前記第１オブジェクト画像の移動方法を、所定の条件に応じて変化させてもよい。
このサーバ装置において、前記条件は、前記表示装置と前記携帯端末との位置関係を含んでもよい。
前記条件は、前記表示装置の周辺における人の混雑度を含んでもよい。
また、前記条件は、前記コンテンツの属性を含んでもよい。
【０００８】
本発明のサーバ装置において、前記移動方法は、前記第１オブジェクト画像が移動する方向、速さ、２以上の前記第１オブジェクト画像が移動する場合の移動の順番、及び前記第１オブジェクト画像の表示態様のうちの１つ以上を含んでもよい。
【０００９】
本発明のサーバ装置において、前記第３表示制御部は、前記第１オブジェクト画像の移動方法に応じた移動方法で、前記第２オブジェクト画像を移動させてもよい。
【００１０】
本発明のコンテンツ配信システムは、１又は複数のコンテンツを記憶するコンテンツ記憶部と、第１表示面を有する表示装置と、前記第１表示面に、いずれかの前記コンテンツと関連付けられている１又は複数の第１オブジェクト画像を表示させる第１表示制御部と、前記表示装置に携帯端末が近接したことを検知する検知部と、前記近接が検知された場合、少なくともいずれかの前記第１オブジェクト画像を前記第１表示面の第１端部に近づく方向に移動させる第２表示制御部と、前記第１端部の位置を通過した前記第１オブジェクト画像に対応する第２オブジェクト画像を、前記携帯端末の第２表示面の第２端部の位置に表示させ、更に前記第２端部から離れる方向に移動させる第３表示制御部と、移動した前記第１オブジェクト画像に関連付けられているコンテンツを、前記携帯端末へ送信するコンテンツ送信部とを備える。
【００１１】
本発明のコンテンツ配信方法は、表示装置の第１表示面に、１又は複数のコンテンツのうちのいずれかのコンテンツと関連付けられている１又は複数の第１オブジェクト画像を表示させるステップと、前記表示装置に携帯端末が近接したことを検知するステップと、前記近接が検知された場合、少なくともいずれかの前記第１オブジェクト画像を前記第１表示面の第１端部に近づく方向に移動させるステップと、前記第１端部の位置を通過した前記第１オブジェクト画像に対応する第２オブジェクト画像を、前記携帯端末の第２表示面の第２端部の位置に表示させ、更に前記第２端部から離れる方向に移動させるステップと、移動した前記第１オブジェクト画像に関連付けられているコンテンツを、前記携帯端末へ送信するステップとを有する。
【発明の効果】
【００１２】
本発明によれば、表示装置が配置された場所を訪れた人物に対して、単にコンテンツを提供するのではなく、あたかもその表示装置から直接コンテンツが届いたかのような視覚的な効果を与えることができる。
【図面の簡単な説明】
【００１３】
【図１】本発明の第１実施形態に係るコンテンツ配信システムの全体構成を示す図。
【図２】同実施形態に係る表示装置が表示する基本画面の一例を示す図。
【図３】同実施形態に係るサーバ装置のハードウェア構成を示すブロック図。
【図４】同実施形態に係るコンテンツデータベースの構成の一例を示す図。
【図５】同実施形態に係る表示装置のハードウェア構成を示すブロック図。
【図６】同実施形態に係る携帯端末のハードウェア構成を示すブロック図。
【図７】同実施形態に係るコンテンツ配信システムの機能構成を示すブロック図。
【図８】同実施形態に係るコンテンツ配信システムで実行される処理を示すシーケンス図。
【図９】図８に続く処理を示すシーケンス図。
【図１０】同実施形態に係る携帯端末が表示するポータルサイトの説明図。
【図１１】同実施形態に係るサービス画面における第１オブジェクト画像の移動の説明図。
【図１２】図１１に続く第１オブジェクト画像の移動の説明図。
【図１３】図１２に続く第１オブジェクト画像の移動の説明図。
【図１４】同実施形態に係る取得画面における第２オブジェクト画像の移動の説明図。
【図１５】同実施形態に係る携帯端末におけるコンテンツの表示制御の説明図
【図１６】本発明の第２実施形態に係るコンテンツ配信システムの概要を示す図。
【図１７】同実施形態に係る表示装置のハードウェア構成を示すブロック図。
【図１８】同実施形態に係るコンテンツ配信システムの機能構成を示すブロック図。
【図１９】同実施形態に係るコンテンツ配信システムで実行される動作例１に係る処理を示すシーケンス図。
【図２０】同動作例１に係るサービス画面における第１オブジェクト画像の移動の説明図。
【図２１】同動作例１に係るサービス画面における第１オブジェクト画像の移動の説明図。
【図２２】同動作例１に係る取得画面における第２オブジェクト画像の移動の説明図。
【図２３】同実施形態に係るコンテンツ配信システムで実行される動作例２に係る処理を示すシーケンス図。
【図２４】同実施形態の動作例２に係るサービス画面における第１オブジェクト画像の移動の説明図。
【図２５】本発明の第３実施形態に係るコンテンツデータベースの構成を示す図。
【図２６】同実施形態に係るサーバ装置が記憶するユーザ管理テーブルの構成を示す図。
【図２７】同実施形態の動作例１に係るサービス画面における第１オブジェクト画像の移動の説明図。
【図２８】同実施形態の動作例２に係るサービス画面における第１オブジェクト画像の移動の説明図。
【図２９】同実施形態の動作例３に係るサービス画面における第１オブジェクト画像の移動の説明図。
【発明を実施するための形態】
【００１４】
以下、本発明の実施の形態について図面を参照しつつ説明する。
［第１実施形態］
図１は、第１実施形態に係るコンテンツ配信システム１の全体構成を示す図である。
コンテンツ配信システム１は、サーバ装置１０と、複数の表示装置２０（２０−１，２０−２，２０−３）と、複数のアクセスポイント３０（３０−１，３０−２，３０−３）とを備える。また、図１には、携帯端末４０のユーザとして、ユーザＵ１，Ｕ２，Ｕ３が示されている。ユーザＵ１，Ｕ２，Ｕ３が使用する携帯端末４０を、順に、携帯端末４０−１，４０−２，４０−３とする。
【００１５】
サーバ装置１０、表示装置２０、及びアクセスポイント３０は、通信回線ＮＷとの間に通信路を確立して通信する機能を有する。通信回線ＮＷは、例えばインターネット等のネットワークであるが、具体的な回線の種類（例えば、規格、有線又は無線）は問わない。各装置の数も特に問わない。
【００１６】
サーバ装置１０は、表示装置２０が配置された場所を訪れたユーザの携帯端末４０に対し、コンテンツを配信するサービスを提供する。コンテンツは、例えばテキスト、静止画、及び動画等の要素を含む電子的なコンテンツである。コンテンツの内容は、例えば、店舗等の各種商業施設、催し物、観光、又は交通の案内であるが、これらに限られない。
【００１７】
表示装置２０は、正面に矩形の表示面２４１を有する。表示装置２０は、ここでは、デジタルサイネージ（電子看板）と呼ばれる装置である。表示装置２０は、例えば、デパートやショッピングモール等の各種商業施設や駅等の公共の場所に配置される。表示装置２０は、サーバ装置１０の制御に応じた画面を、表示面２４１に表示する。この表示は、不特定多数の人物によって見られ得る。
【００１８】
アクセスポイント３０は、表示装置２０に近接して配置されている。アクセスポイント３０は、近接してきた携帯端末４０との間に、無線ＬＡＮ（Local Area Network）による通信路を確立する。無線ＬＡＮの規格は、本実施形態ではＷｉ−Ｆｉ（登録商標）であるが、Ｗｉ−Ｆｉ以外の規格が採用されてもよい。図１の例では、アクセスポイント３０−１，３０−２，３０−３は、順に、表示装置２０−１，２０−２，２０−３に近接して配置されている。アクセスポイント３０は、携帯端末４０と通信回線ＮＷとの通信を中継する。アクセスポイント３０は、表示装置２０の表示を見るユーザの携帯端末４０と通信し得るように、その表示装置２０に近接して配置される。
【００１９】
携帯端末４０は、アクセスポイント３０との間に通信路が確立されると、アクセスポイント３０経由で、通信回線ＮＷと通信する。携帯端末４０は、ここではスマートフォンであるが、タブレット型コンピュータやノート型ＰＣ（Personal Computer）等の携帯型の端末装置であってもよい。図１の例では、携帯端末４０−１は、表示装置２０−１に近接しており、アクセスポイント３０−１経由で、通信回線ＮＷと通信し得る。携帯端末４０−３は、表示装置２０−３に近接しており、アクセスポイント３０−３経由で、通信回線ＮＷと通信し得る。一方、携帯端末４０−２は、通信回線ＮＷと通信できない。
【００２０】
図２は、表示装置２０が表示するサービス画面の一例を示す図である。サービス画面は、コンテンツを配信するサービスに係る画面である。表示装置２０の場所を訪れた人物は、まず、図２に示すサービス画面を見ることになる。
サービス画面は、地図画像ＭＩと、第１オブジェクト画像ＤＥ１，ＤＥ２，ＤＥ３，ＤＥ４と、広告画像Ａｄ１，Ａｄ２，Ａｄ３，Ａｄ４とを含む。地図画像ＭＩは、表示装置２０が配置された場所、及びその周辺の地域の地図を表す画像である。広告画像Ａｄ１，Ａｄ２，Ａｄ３，Ａｄ４は、表示面２４１の左端部に沿って縦方向に一列に並べて配置された、広告を示す画像である。
【００２１】
第１オブジェクト画像ＤＥ１，ＤＥ２，ＤＥ３，ＤＥ４は、表示面２４１の下端部に沿って横方向に一列に並べて配置された、矩形の画像である。第１オブジェクト画像ＤＥ１，ＤＥ２，ＤＥ３，ＤＥ４は、サーバ装置１０が配信するコンテンツと関連付けられている。第１オブジェクト画像ＤＥ１，ＤＥ２，ＤＥ３，ＤＥ４は、互いに異なるコンテンツと関連付けられている。第１オブジェクト画像は、例えば、関連付けられているコンテンツに関する内容の画像である。
なお、表示装置２０−１，２０−２，２０−３は、互いに異なるサービス画面を表示する。ただし、第１オブジェクト画像、又はその第１オブジェクト画像に関連付けられているコンテンツの一部が互いに重複する場合があってもよい。また、ここでは、サービス画面に配置された広告画像、及び第１オブジェクト画像の数をそれぞれ「４」としているが、「３」以下又は「５」以上であってもよい。
【００２２】
図３は、サーバ装置１０のハードウェア構成を示すブロック図である。サーバ装置１０は、制御部１１と、第１通信部１２と、第２通信部１３と、記憶部１４とを備える。
制御部１１は、演算処理装置としてのＣＰＵ（Central Processing Unit）、ＲＯＭ（Read Only Memory）、及びＲＡＭ（Random Access Memory）を有するプロセッサである。ＣＰＵは、ＲＯＭ又は制御プログラム１４１をＲＡＭに読み出して実行することにより、サーバ装置１０の各部を制御する。第１通信部１２は、例えばモデムを備え、通信回線ＮＷ経由で、アクセスポイント３０と通信する。第２通信部１３は、例えばモデムを備え、通信回線ＮＷ経由で、表示装置２０と通信する。記憶部１４は、例えばハードディスクを備え、制御プログラム１４１を記憶する。制御プログラム１４１は、サーバ装置１０を制御するためのプログラムである。また、記憶部１４は、コンテンツデータベース１４２を有する。コンテンツデータベース１４２は、複数のコンテンツを記憶するデータベースである。コンテンツデータベース１４２は、本発明のコンテンツ記憶部に相当する。
【００２３】
図４は、コンテンツデータベース１４２の構成の一例を示す図である。図４に示すように、コンテンツデータベース１４２は、複数のＡＰＩＤの各々に関連付けて、表示装置ＩＤ、オブジェクト画像データ、及びコンテンツを記憶したデータベースである。
ＡＰＩＤは、アクセスポイント３０を一意に識別する識別子である。表示装置ＩＤは、そのアクセスポイント３０と同じ場所に配置された表示装置２０を一意に識別する識別子である。オブジェクト画像データは、その表示装置２０に表示される第１オブジェクト画像を示すデータである。図４の「オブジェクト画像データ」の列に示した「ＤＥ１」、「ＤＥ２」、「ＤＥ３」、及び「ＤＥ４」は、図２に示す第１オブジェクト画像の符号と対応している。コンテンツは、そのアクセスポイント３０経由で配信されるコンテンツを示す。コンテンツ「Ｃｔ１」は第１オブジェクト画像ＤＥ１に関連付けられ、コンテンツ「Ｃｔ２」は第１オブジェクト画像ＤＥ２に関連付けられ、コンテンツ「Ｃｔ３」は第１オブジェクト画像ＤＥ３に関連付けられ、コンテンツ「Ｃｔ４」は第１オブジェクト画像ＤＥ４に関連付けられている。
なお、コンテンツデータベース１４２は、例えば、表示装置２０を管理、運用する事業者、又は所定のコンテンツの提供者によって記録される。
【００２４】
図５は、表示装置２０のハードウェア構成を示すブロック図である。表示装置２０は、制御部２１と、通信部２２と、記憶部２３と、表示部２４とを備える。制御部２１は、演算処理装置としてのＣＰＵ、ＲＯＭ、及びＲＡＭを有するプロセッサである。ＣＰＵは、ＲＯＭ又は記憶部２３に記憶されたプログラムをＲＡＭに読み出して実行することにより、表示装置２０の各部を制御する。通信部２２は、例えばモデムを備え、通信回線ＮＷ経由で、サーバ装置１０と通信する。記憶部２３は、例えばハードディスク装置を備え、プログラムやその他のデータを記憶する。このプログラムは、例えば、サービス画面を表示するために用いられる、ＨＴＭＬ（Hyper Text Markup Language）５に対応したウェブブラウザを含む。表示部２４は、例えば液晶ディスプレイを備え、表示面２４１に各種の画面を表示する。表示面２４１は、本発明の第１表示面に相当する。
【００２５】
図６は、携帯端末４０のハードウェア構成を示すブロック図である。携帯端末４０は、制御部４１と、通信部４２と、記憶部４３と、表示部４４と、操作部４５とを備える。
制御部４１は、演算処理装置としてのＣＰＵ、ＲＯＭ、及びＲＡＭを有するプロセッサである。ＣＰＵは、ＲＯＭ又は記憶部４３に記憶されたプログラムをＲＡＭに読み出して実行することにより、携帯端末４０の各部を制御する。通信部４２は、例えば無線通信回路、及びアンテナを備え、アクセスポイント３０との間に、無線の通信路を確立する機能を有する。記憶部４３は、例えばＥＥＰＲＯＭ（Electrically Erasable Programmable ROM）又はフラッシュメモリを備え、プログラムやその他のデータを記憶する。プログラムは、例えば、ＨＴＭＬ５に対応したウェブブラウザを含む。表示部４４は、例えば液晶ディスプレイを備え、表示面４４１に各種の画面を表示する。表示面４４１は、本発明の第２表示面に相当する。表示面４４１は、本実施形態では矩形である。操作部４５は、例えば表示面４４１に重ねて設けられたタッチセンサを含み、ユーザの操作を受け付ける。操作部４５は、更に物理キー等の操作子を備えてもよい。
【００２６】
図７は、コンテンツ配信システム１の機能構成を示すブロック図である。
サーバ装置１０は、制御プログラム１４１が実行されることにより、第１表示制御部１０１と、検知部１０２と、第２表示制御部１０３と、第３表示制御部１０４と、コンテンツ送信部１０５とに相当する機能を有する。また、表示装置２０は表示制御部２０１に相当する機能を、携帯端末４０は表示制御部４０１と、コンテンツ管理部４０２とに相当する機能を有する。
【００２７】
第１表示制御部１０１は、表示面２４１にサービス画面を表示させるための第１表示制御データを、表示装置２０へ送信する。第１表示制御データは、例えばＨＴＭＬ５のマークアップ言語を用いて、表示内容を記述したデータである。後述する第２表示制御データ、及び第３表示制御データにおいても、同様である。表示装置２０の表示制御部２０１は、第１表示制御データに基づいて表示部２４を制御することで、表示面２４１にサービス画面を表示する。
【００２８】
検知部１０２は、表示装置２０に携帯端末４０が近接したことを検知する。検知部１０２は、携帯端末４０とアクセスポイント３０との間に通信路が確立したことを、そのアクセスポイント３０と同じ場所の表示装置２０に、その携帯端末４０が近接したこととして検知する。
【００２９】
第２表示制御部１０３は、検知部１０２により近接が検知された場合、サービス画面に含まれる少なくともいずれかの第１オブジェクト画像を表示面２４１の第１端部に近づく方向に移動させるための第２表示制御データを、表示装置２０へ送信する。表示装置２０の表示制御部２０１は、第２表示制御データに基づいて表示部２４を制御することで、表示面２４１の第１オブジェクト画像を移動させる。
【００３０】
第３表示制御部１０４は、表示面２４１の第１端部の位置を通過した第１オブジェクト画像に対応する第２オブジェクト画像を、携帯端末４０の表示面４４１の第２端部の位置に表示させ、更にその第２端部から離れる方向に移動させるための第３表示制御データを、携帯端末４０へ送信する。携帯端末４０の表示制御部４０１は、第３表示制御データに基づいて表示部４４を制御することで、表示面４４１に第２オブジェクト画像を表示させ、更に移動させる。第１オブジェクト画像のうち、表示面２４１の端部の位置を通過した部分は、表示面２４１から消失し表示されない状態となっている。
【００３１】
コンテンツ送信部１０５は、移動した第１オブジェクト画像に関連付けられているコンテンツを、携帯端末４０へ送信する。携帯端末４０のコンテンツ管理部４０２は、携帯端末４０からコンテンツを取得（ダウンロード）し、また、記憶等のコンテンツの管理を行う。
【００３２】
サーバ装置１０において第１表示制御部１０１、及び第２表示制御部１０３は、制御部１１、及び第２通信部１３の協働により実現される。検知部１０２、第３表示制御部１０４、及びコンテンツ送信部１０５は、制御部１１、及び第１通信部１２の協働により実現される。表示装置２０において表示制御部２０１は、制御部２１、及び通信部２２の協働により実現される。携帯端末４０において表示制御部４０１は、制御部４１、及び通信部４２の協働により実現される。コンテンツ管理部４０２は、制御部４１、通信部４２、及び記憶部４３の協働により実現される。
【００３３】
次に、本実施形態の動作を説明する。
図８、及び図９は、コンテンツ配信システム１で実行される処理を示すシーケンス図である。
まず、サーバ装置１０の第１表示制御部１０１は、第１表示制御データを表示装置２０へ送信する（ステップＳ１）。例えば、表示装置２０が所定の場所に配置されて、その場所でコンテンツを配信するサービスの提供が開始されるときに、ステップＳ１の処理が行われる。また、サービス画面の更新時、又は配信されるコンテンツの更新時にも、ステップＳ１の処理が行われる。ここでは、コンテンツデータベース１４２において、ＡＰＩＤ「ＡＩＤ００１」、及び表示装置ＩＤ「ＭＩＤ００１」に関連付けられているオブジェクト画像データに基づいて、第１表示制御データが送信されたものとする。
【００３４】
表示装置２０の表示制御部２０１は、サーバ装置１０から受信した第１表示制御データに基づいて、表示面２４１にサービス画面を表示する（ステップＳ２）。このステップＳ２の処理により、図２に示すサービス画面が表示される。
【００３５】
その後、携帯端末４０のユーザが、表示装置２０が配置された場所を訪れ、その場所でコンテンツをダウンロードしようとしたとする。この場合、ユーザは、携帯端末４０の操作部４５を操作して、アクセスポイント３０への接続を指示する。この操作に応じて、携帯端末４０は、アクセスポイント３０との間に通信路を確立する（ステップＳ３）。次に、このアクセスポイント３０は、携帯端末４０に対して、ポータルサイトを表示させるためのデータを送信する（ステップＳ４）。
【００３６】
図１０は、携帯端末４０が表示するポータルサイトを説明する図である。表示面４４１に表示されたポータルサイトには「無料インターネット接続サービス」というメッセージと、「インターネットに接続」と記されたボタンＢ１と、「おすすめ情報をダウンロード」と記されたボタンＢ２とが配置されている。無料インターネット接続サービスを利用したいユーザは、ボタンＢ１を選択する操作を行う。この場合、携帯端末４０は、アクセスポイント３０経由で、インターネットを利用したサービスを利用し得る。周辺地域の情報を知りたいユーザは、ボタンＢ２を選択する操作を行う。図１０では、ユーザにより、指ＦをボタンＢ２の位置に触れさせる操作であるダウンロード操作が行われている。
【００３７】
図８に戻り、ダウンロード操作を受け付けると（ステップＳ５）、携帯端末４０は、コンテンツの取得要求を、アクセスポイント３０へ送信する（ステップＳ６）。取得要求には、要求元の携帯端末４０を一意に識別する識別子として、ＭＡＣアドレス又はＭＡＣアドレス以外の識別子が含まれる。アクセスポイント３０は、この取得要求を受信すると、自機のＡＰＩＤ（ここでは、ＡＰＩＤ「ＡＩＤ００１」）を付加して、サーバ装置１０へ送信する（ステップＳ７）。
【００３８】
サーバ装置１０の検知部１０２は、取得要求が受信されると、表示装置２０に携帯端末４０が近接したことを検知する（ステップＳ８）。ここでは、検知部１０２は、コンテンツデータベース１４２に基づいて、取得要求に付加されたＡＰＩＤ「ＡＩＤ００１」に関連付けられている表示装置ＩＤ「ＭＩＤ００１」を特定することで、どの表示装置２０にどの携帯端末４０が近接したかを検知する。
【００３９】
次に、サーバ装置１０の第２表示制御部１０３は、第２表示制御データを、表示装置２０へ送信する（ステップＳ９）。第２表示制御データの送信先は、表示装置ＩＤ「ＭＩＤ００１」が示す表示装置２０である。この表示装置２０の表示制御部２０１は、サーバ装置１０から受信された第２表示制御データに基づいて、表示面２４１に表示されている第１オブジェクト画像を移動させるように、表示部２４を制御する（ステップＳ１０）。
【００４０】
図１１、図１２、及び図１３は、サービス画面における第１オブジェクト画像の移動を説明する図である。
まず、第１オブジェクト画像ＤＥ１，ＤＥ２，ＤＥ３，ＤＥ４のうち、最も左側に位置する第１オブジェクト画像ＤＥ１が、矢印Ａ１方向に移動する（図１１の第１番目、及び第２番目の画面）。矢印Ａ１方向は、表示面２４１における真上の方向で、表示面２４１の上端部に近づく方向である。矢印Ａ１方向は、本発明の第１方向に相当する。第１オブジェクト画像ＤＥ１は、やがて、表示面２４１の上端部の位置に到達する（図１１の第３番目の画面）。そして、第１オブジェクト画像ＤＥ１は、表示面２４１の上端部の位置を通過して、表示面２４１に表示されなくなる。次に、第１オブジェクト画像ＤＥ２，ＤＥ３，ＤＥ４のうち、最も左側に位置する第１オブジェクト画像ＤＥ２が、矢印Ａ１方向に移動する（図１１の第４番目、及び第５番目の画面）。第１オブジェクト画像ＤＥ２は、やがて、表示面２４１の上端部の位置に到達する（図１１の第６番目の画面）。そして、第１オブジェクト画像ＤＥ２は、表示面２４１の上端部の位置を通過して、表示面２４１に表示されなくなる。次に、第１オブジェクト画像ＤＥ３，ＤＥ４のうち、最も左側に位置する第１オブジェクト画像ＤＥ３が、矢印Ａ１方向に移動する（図１２の第１番目、及び第２番目の画面）。第１オブジェクト画像ＤＥ３は、やがて、表示面２４１の上端部の位置に到達する（図１２の第３番目の画面）。そして、第１オブジェクト画像ＤＥ３は、表示面２４１の上端部の位置を通過して、表示面２４１に表示されなくなる。最後に、第１オブジェクト画像ＤＥ４が、矢印Ａ１方向に移動する（図１２の第４番目、及び第５番目の画面）。第１オブジェクト画像ＤＥ４は、やがて、表示面２４１の上端部の位置に到達する（図１２の第６番目の画面）。そして、第１オブジェクト画像ＤＥ４は、表示面２４１の上端部の位置を通過して、表示面２４１に表示されなくなる（図１３）。
【００４１】
図８に戻り、表示装置２０の表示制御部２０１は、ステップＳ１０の処理による第１オブジェクト画像の移動が完了すると、その処理が完了した旨を通知する完了通知信号を、サーバ装置１０へ送信する（ステップＳ１１）。完了通知信号が受信されると、サーバ装置１０の第３表示制御部１０４は、第３表示制御データを、アクセスポイント３０経由で携帯端末４０へ送信する（ステップＳ１２，Ｓ１３）。携帯端末４０の表示制御部４０１は、サーバ装置１０から受信された第３表示制御データに基づいて、取得画面を表示面４４１に表示するように、表示部４４を制御する（ステップＳ１４）。取得画面は、サーバ装置１０からコンテンツを取得（ダウンロード）する際に表示される画面である。表示制御部４０１は、取得画面の第２オブジェクト画像を移動させるように、表示部４４を制御する。
【００４２】
図１４は、取得画面における第２オブジェクト画像の移動を説明する図である。
まず、第２オブジェクト画像ＣＥ１が、表示面４４１の上端部の位置に表示される（図１４の第１番目の画面）。第２オブジェクト画像ＣＥ１は、第１オブジェクト画像ＤＥ１に対応し、第１オブジェクト画像ＤＥ１と実質的に同じ内容の画像である。更に、第２オブジェクト画像ＣＥ１は、矢印Ａ２方向に移動する。矢印Ａ２方向は、表示面４４１における真下の方向で、表示面４４１の上端部から離れる方向である。矢印Ａ２方向は、本発明の第２方向に相当する。矢印Ａ２方向は、表示面４４１において、矢印Ａ１の反対の成分を有する方向、ここでは正反対の方向である。第２オブジェクト画像ＣＥ１は、やがて、表示面４４１の中央付近の位置に到達して、静止する（図１４の第２番目の画面）。次に、第２オブジェクト画像ＣＥ２が、表示面４４１の上端部の位置に表示される（図１４の第３番目の画面）。第２オブジェクト画像ＣＥ２は、第１オブジェクト画像ＤＥ２に対応し、第１オブジェクト画像ＤＥ２と実質的に同じ内容の画像である。更に、第２オブジェクト画像ＣＥ２は、矢印Ａ２方向に移動する。第２オブジェクト画像ＣＥ２は、やがて、表示面４４１の中央付近の位置に到達して、静止する（図１４の第４番目の画面）。次に、第２オブジェクト画像ＣＥ３が、表示面４４１の上端部の位置に表示される（図１４の第５番目の画面）。第２オブジェクト画像ＣＥ３は、第１オブジェクト画像ＤＥ３に対応し、第１オブジェクト画像ＤＥ３と実質的に同じ内容の画像である。更に、第２オブジェクト画像ＣＥ３は、矢印Ａ２方向に移動する。第２オブジェクト画像ＣＥ３は、やがて、表示面４４１の中央付近の位置に到達して、静止する（図１４の第６番目の画面）。次に、第２オブジェクト画像ＣＥ４が、表示面４４１の上端部の位置に表示される（図１４の第７番目の画面）。第２オブジェクト画像ＣＥ４は、第１オブジェクト画像ＤＥ１に対応し、第１オブジェクト画像ＤＥ４と実質的に同じ内容の画像である。更に、第２オブジェクト画像ＣＥ４は、矢印Ａ２方向に移動する。第２オブジェクト画像ＣＥ４は、やがて、表示面４４１の中央付近の位置に到達して、静止する（図１４の第８番目の画面）。
なお、第２オブジェクト画像ＣＥ１，ＣＥ２，ＣＥ３，ＣＥ４の表示制御は、コンテンツデータベース１４２に記憶されたオブジェクト画像データを用いて行われてもよいし、これとは別に用意された画像データを用いて行われてもよい。
【００４３】
図９に戻り、サーバ装置１０のコンテンツ送信部１０５は、サービス画面において移動した第１オブジェクト画像に関連付けられているコンテンツを、アクセスポイント３０経由で、携帯端末４０へ送信する（ステップＳ１５，Ｓ１６）。コンテンツ送信部１０５は、ここでは、コンテンツデータベース１４２において、ＡＰＩＤ「ＡＩＤ００１」に関連付けられているコンテンツを、携帯端末４０へ送信する。このコンテンツは、表示面２４１を移動した第１オブジェクト画像ＤＥ１，ＤＥ２，ＤＥ３，ＤＥ４にそれぞれ関連付けられた、コンテンツＣｔ１，Ｃｔ２，Ｃｔ３，Ｃｔ４である。
なお、ステップＳ１２の第３表示制御データの送信のタイミングと、ステップＳ１５のコンテンツの送信のタイミングとの関係は特に問わず、例えば時間的な前後関係が逆であってもよい。
【００４４】
携帯端末４０のコンテンツ管理部４０２は、サーバ装置１０により送信されたコンテンツを取得（受信）すると、これを記憶する（ステップＳ１７）。
【００４５】
次に、表示制御部４０１は、取得済みのコンテンツの一覧を示す一覧画面を表示し、表示するコンテンツを選択する操作が受け付けられると（ステップＳ１８）、その選択されたコンテンツを表示面４４１に表示する（ステップＳ１９）。
【００４６】
図１５は、携帯端末４０におけるコンテンツの表示制御を説明する図である。
図１５の上段の図に示すように、表示制御部４０１は、一覧画面を表示面４４１に表示する。この一覧画面は、例えば、取得画面における第２オブジェクト画像の移動が完了した後の画面（つまり、図１４の第８番目の画面）と同じでよい。この一覧画面の表示中に、ユーザは、指Ｆを用いて上下方向のスワイプ操作を行って、表示するコンテンツを選択する。表示制御部４０１は、例えば、上方向のスワイプ操作に応じて、第２オブジェクト画像ＣＥ４→ＣＥ３→ＣＥ２→ＣＥ１→ＣＥ４→・・・という順で、第２オブジェクト画像を順次切り替えて表示し、下方向のスワイプ操作に応じて、第２オブジェクト画像ＣＥ４→ＣＥ１→ＣＥ２→ＣＥ３→ＣＥ４→・・・という順で、第２オブジェクト画像を順次切り替えて表示する。
なお、スワイプ操作と第２オブジェクト画像の表示の切り替えとの関係は、これ以外の関係であってもよい。また、第２オブジェクト画像の表示の切り替えは、スワイプ操作以外の操作によって行われてもよい。
【００４７】
図１５の中段の図に示すように、第２オブジェクト画像ＣＥ３が表示面４４１に表示されているときに、指Ｆで表示面４４１に対するタップ操作が行われたとする。この場合、表示制御部４０１は、記憶されたコンテンツに基づいて、コンテンツＣｔ３を表示するように、表示部４４を制御する。これにより、図１５の下段の図に示すように、コンテンツＣｔ３が表示面４４１に表示される。
なお、別の第２オブジェクト画像の表示中にタップ操作が行われた場合も、その第２オブジェクト画像に対応するコンテンツが表示される。
【００４８】
なお、携帯端末４０に取得済みのコンテンツが記憶されたので、表示制御部４０１は、携帯端末４０が別の場所に移動させられて、アクセスポイント３０との間に通信路が確立していない状態になった場合であっても（例えば、オフライン時であっても）、そのコンテンツを表示させ得る。
【００４９】
以上説明したように、表示装置２０では、第１オブジェクト画像ＤＥ１，ＤＥ２，ＤＥ３，ＤＥ４が１つずつ順番に表示面２４１内を移動して、表示面２４１外へ飛び出していくような表示制御が行われる（図１１〜図１３）。一方、携帯端末４０では、第２オブジェクト画像ＣＥ１，ＣＥ２，ＣＥ３，ＣＥ４が１つずつ順番に表示面４４１内に飛び込んできて、表示面４４１の中央付近に移動するような表示制御が行われる（図１４）。また、第２オブジェクト画像ＣＥ１，ＣＥ２，ＣＥ３，ＣＥ４は、実質的に、第１オブジェクト画像ＤＥ１，ＤＥ２，ＤＥ３，ＤＥ４と同じ内容の画像を示す。よって、携帯端末４０のユーザは、表示装置２０の表示面２４１から飛び出したオブジェクト画像が、そのまま自身の携帯端末４０の表示面４４１に移動してきたかのような、視覚的な効果を得ることができる。このような表示が行われるとともに、携帯端末４０は、第１オブジェクト画像ＤＥ１，ＤＥ２，ＤＥ３，ＤＥ４に関連付けられているコンテンツＣｔ１，Ｃｔ２，Ｃｔ３，Ｃｔ４を、ダウンロードする。よって、コンテンツ配信システム１によれば、表示装置２０が配置された場所を訪れた人物に対して、単にコンテンツを提供するのではなく、あたかもその表示装置２０から直接コンテンツが届いたかのような視覚的な効果を与えることができる。
【００５０】
［第２実施形態］
本発明の第２実施形態のコンテンツ配信システムは、表示装置の周辺の状況を条件として、オブジェクト画像の移動方法を変化させる機能を有する。
以下の説明では、上述した第１実施形態の要素と同じ要素については同じ符号を用いて表し、説明を適宜省略する。
【００５１】
図１６は、本実施形態に係るコンテンツ配信システムの概要を示す図である。図１６に示す表示装置２０Ａでは、表示面２４１が設けられた面と同じ面に、撮像用のレンズ２５１が設けられている。表示装置２０Ａは、レンズ２５１を介して撮像した画像に基づいて、表示装置２０Ａの周辺の状況を特定する。図１６の例では、表示装置２０Ａに向かって左方に携帯端末４０−１が、正面の方向に携帯端末４０−２が、右方に携帯端末４０−３が位置している。
【００５２】
図１７は、表示装置２０Ａのハードウェア構成を示すブロック図である。表示装置２０Ａは、表示装置２０と同じ構成に加え、撮像部２５を備える。撮像部２５は、レンズ２５１及び撮像素子を含み、撮像を行い、撮像により得られた画像を示す撮像データを生成する。
【００５３】
図１８は、本実施形態に係るコンテンツ配信システムの機能構成を示すブロック図である。本実施形態では、上述した第１実施形態で説明した機能に加え、表示装置２０Ａが特定部２０２に相当する機能を有する。特定部２０２は、撮像データを解析して、表示装置２０Ａの周辺の状況を特定する。サーバ装置１０の第２表示制御部１０３は、この特定された状況に応じて、サービス画面の第１オブジェクト画像の移動方法を変化させる。また、第３表示制御部１０４は、この特定された状況に応じて、取得画面の第２オブジェクト画像の移動方法を変化させる場合がある。
なお、特定部２０２は、制御部２１、通信部２２、及び撮像部２５により実現される。
以下、本実施形態の動作の動作例として、動作例１、及び動作例２を説明する。
【００５４】
（動作例１）
動作例１では、表示装置２０Ａと携帯端末４０との位置関係に応じて、オブジェクト画像の移動方向を変化させる。
【００５５】
図１９は、コンテンツ配信システムで実行される動作例１に係る処理を示すシーケンス図である。
まず、表示装置２０Ａの表示制御部２０１は、第１表示制御データに基づいて、サービス画面を表示する（ステップＳ１，Ｓ２）。次に、特定部２０２は、撮像データに基づいて、携帯端末４０の位置する方向を特定する（ステップＳ２１）。特定部２０２は、例えば、所定の画像解析アルゴリズムに基づいて、撮像データが示す画像内から人の存在を検知し、更に当該画像内におけるその人を検知した位置に、携帯端末４０があることを特定する。特定部２０２は、画像を解析して、複数の人の中から、携帯端末４０を使用中のユーザを特定してもよい。そして、特定部２０２は、携帯端末４０が、表示装置２０Ａに向かって、左方、正面、及び右方のどの方向に位置するかを特定する。
【００５６】
次に、特定部２０２は、特定した携帯端末４０の位置する方向を、サーバ装置１０へ通知する（ステップＳ２２）。
【００５７】
サーバ装置１０の第２表示制御部１０３は、検知部１０２により表示装置２０Ａへの携帯端末４０の近接が検知されると、通知された携帯端末４０の位置する方向に応じた方向に、第１オブジェクト画像を移動させるように、第２表示制御データを送信する（ステップＳ９Ａ）。表示装置２０Ａの表示制御部２０１は、サーバ装置１０から受信した第２表示制御データに基づいて、表示面２４１に表示されているサービス画面の第１オブジェクト画像を移動させるように、表示部２４を制御する（ステップＳ１０Ａ）。
【００５８】
図２０は、表示装置２０Ａに携帯端末４０−１が近接してきた場合の、サービス画面における第１オブジェクト画像の移動を説明する図である。
まず、第１オブジェクト画像ＤＥ１が、矢印Ａ３方向に移動する（図２０の第１番目の画面）。矢印Ａ３方向は、表示面２４１における左上の方向で、表示面２４１の左端部に近づく方向である。矢印Ａ３方向は、本発明の第１方向に相当する。また、表示面２４１の左端部が、本発明の第１端部に相当する。第１オブジェクト画像ＤＥ１は、やがて、表示面２４１の左端部の位置に到達する（図２０の第２番目の画面）。そして、第１オブジェクト画像ＤＥ１は、表示面２４１の左端部の位置を通過して、表示面２４１に表示されなくなる。次に、第１オブジェクト画像ＤＥ２が、矢印Ａ３方向に移動する（図２０の第３番目の画面）。第１オブジェクト画像ＤＥ２は、やがて、表示面２４１の左端部の位置に到達する（図２０の第４番目の画面）。そして、第１オブジェクト画像ＤＥ２は、表示面２４１の左端部の位置を通過して、表示面２４１に表示されなくなる。次に、第１オブジェクト画像ＤＥ３が、矢印Ａ３方向に移動する（図２０の第５番目の画面）。第１オブジェクト画像ＤＥ３は、やがて、表示面２４１の左端部の位置に到達する（図２０の第６番目の画面）。そして、第１オブジェクト画像ＤＥ３は、表示面２４１の左端部の位置を通過して、表示面２４１に表示されなくなる。図示は省略するが、最後に、第１オブジェクト画像ＤＥ４が、矢印Ａ３方向に移動する。そして、第１オブジェクト画像ＤＥ４は、やがて、表示面２４１の左端部の位置に到達し、その位置を通過すると、表示面２４１に表示されなくなる。
【００５９】
表示装置２０Ａに携帯端末４０−２が近接してきた場合の第１オブジェクト画像の移動は、上述した第１実施形態の図１１〜図１３で説明した移動方法と同じである。即ち、第１オブジェクト画像ＤＥ１，ＤＥ２，ＤＥ３，ＤＥ４は、１つずつ順番に、表示面４４１において矢印Ａ１方向（真上の方向）に移動する。
【００６０】
図２１は、表示装置２０Ａに携帯端末４０−３が近接してきた場合の、サービス画面における第１オブジェクト画像の移動を説明する図である。
まず、第１オブジェクト画像ＤＥ１が、矢印Ａ４方向に移動する（図２１の第１番目の画面）。矢印Ａ４方向は、表示面２４１における右上の方向で、表示面２４１の右端部に近づく方向である。矢印Ａ４方向は、本発明の第１方向に相当する。この場合、表示面２４１の右端部が、本発明の第１端部に相当する。第１オブジェクト画像ＤＥ１は、やがて、表示面２４１の右端部の位置に到達する（図２１の第２番目の画面）。そして、第１オブジェクト画像ＤＥ１は、表示面２４１の左端部の位置を通過して、表示面２４１に表示されなくなる。次に、第１オブジェクト画像ＤＥ２が、矢印Ａ４方向に移動する（図２１の第３番目の画面）。第１オブジェクト画像ＤＥ２は、やがて、表示面２４１の右端部の位置に到達する（図２１の第４番目の画面）。そして、第１オブジェクト画像ＤＥ２は、表示面２４１の右端部の位置を通過して、表示面２４１に表示されなくなる。次に、第１オブジェクト画像ＤＥ３が、矢印Ａ４方向に移動する（図２１の第５番目の画面）。第１オブジェクト画像ＤＥ３は、やがて、表示面２４１の右端部の位置に到達する（図２１の第６番目の画面）。そして、第１オブジェクト画像ＤＥ３は、表示面２４１の右端部の位置を通過して、表示面２４１に表示されなくなる。図示は省略するが、最後に、第１オブジェクト画像ＤＥ４が、矢印Ａ４方向に移動する。そして、第１オブジェクト画像ＤＥ４は、やがて、表示面２４１の右端部の位置に到達し、その位置を通過すると、表示面２４１に表示されなくなる。
【００６１】
図１９に戻り、サーバ装置１０の第３表示制御部１０４は、完了通知信号が受信されると、特定部２０２から通知された携帯端末４０の位置する方向に応じた方向に、第２オブジェクト画像を移動させるように、第３表示制御データを送信する（ステップＳ１２Ａ，Ｓ１３Ａ）。ここでは、第３表示制御部１０４は、表示装置２０Ａが位置する方向から第２オブジェクト画像を移動させる。携帯端末４０の表示制御部４０１は、サーバ装置１０から受信した第３表示制御データに基づいて、表示面２４１に表示されている取得画面の第２オブジェクト画像を移動させるように、表示部４４を制御する（ステップＳ１４Ａ）。
【００６２】
図２２は、取得画面における第２オブジェクト画像の移動を説明する図である。
図２２の上段には、携帯端末４０−１の取得画面が示されている。この取得画面においては、まず、第２オブジェクト画像ＣＥ１が、表示面４４１の右上端部の位置に表示される（図２２の上段の第１番目の画面）。更に、第２オブジェクト画像ＣＥ１は、矢印Ａ５方向に移動する。矢印Ａ５方向は、表示面４４１における左下の方向で、表示面４４１の上端部、及び右端部から離れる方向である。矢印Ａ５方向は、本発明の第２方向に相当する。矢印Ａ５方向は、表示面４４１において、矢印Ａ３の反対の成分を有する方向である。また、表示面４４１の上端部、又は右端部は、本発明の第２端部に相当する。第２オブジェクト画像ＣＥ１は、やがて、表示面４４１の中央付近の位置に到達して、静止する（図２２の上段の第２番目の画面）。次に、第２オブジェクト画像ＣＥ２が、表示面４４１の右上端部の位置に表示される（図２２の上段の第３番目の画面）。更に、第２オブジェクト画像ＣＥ２は、矢印Ａ５方向に移動する。第２オブジェクト画像ＣＥ２は、やがて、表示面４４１の中央付近の位置に到達して、静止する（図２２の上段の第４番目の画面）。図示は省略するが、以降、第２オブジェクト画像ＣＥ３，ＣＥ４の順で、表示面４４１の右上端部の位置に表示された後、矢印Ａ５方向に移動して表示面４４１の中央付近で停止する。
【００６３】
携帯端末４０−２の取得画面は、上述した第１実施形態の図１４で説明した移動方法と同じである。即ち、第２オブジェクト画像ＣＥ１，ＣＥ２，ＣＥ３，ＣＥ４は、１つずつ順番に、表示面４４１において矢印Ａ２方向（真下の方向）に移動する。
【００６４】
図２２の下段には、携帯端末４０−３の取得画面が示されている。この取得画面においては、第２オブジェクト画像ＣＥ１が、表示面４４１の左上端部の位置に表示される（図２２の下段の第１番目の画面）。更に、第２オブジェクト画像ＣＥ１は、矢印Ａ６方向に移動する。矢印Ａ６方向は、表示面４４１における右下の方向で、表示面４４１の上端部、及び左端部から離れる方向である。矢印Ａ６方向は、本発明の第２方向に相当する。矢印Ａ６方向は、表示面４４１において、矢印Ａ４の反対の成分を有する方向である。また、表示面４４１の上端部、又は左端部は、本発明の第２端部に相当する。第２オブジェクト画像ＣＥ１は、やがて、表示面４４１の中央付近の位置に到達して、静止する（図２２の下段の第２番目の画面）。次に、第２オブジェクト画像ＣＥ２が、表示面４４１の左上端部の位置に表示される（図２２の下段の第３番目の画面）。更に、第２オブジェクト画像ＣＥ２は、矢印Ａ６方向に移動する。第２オブジェクト画像ＣＥ２は、やがて、表示面４４１の中央付近の位置に到達して、静止する（図２２の下段の第４番目の画面）。図示は省略するが、以降、第２オブジェクト画像ＣＥ３，ＣＥ４の順で、表示面４４１の左上端部の位置に表示された後、矢印Ａ６方向に移動して表示面４４１の中央付近で停止する。
【００６５】
このように、表示装置２０Ａでは、第１オブジェクト画像ＤＥ１，ＤＥ２，ＤＥ３，ＤＥ４が１つずつ順番に表示面２４１内を移動して、携帯端末４０の方向に向かって、飛び出していくような表示制御が行われる（図２１）。一方、携帯端末４０では、第２オブジェクト画像ＣＥ１，ＣＥ２，ＣＥ３，ＣＥ４が１つずつ順番に、表示装置２０Ａの方向から表示面４４１内に飛び込んできて、表示面４４１の中央付近に移動するような表示制御が行われる（図２２）。これにより、携帯端末４０のユーザは、あたかも表示装置２０Ａから直接コンテンツが届いたかのような視覚的な効果を得ることができる。また、携帯端末４０のユーザは、オブジェクト画像が移動する方向に基づいて、自身の携帯端末４０でコンテンツのダウンロードが行われたことを把握しやすくなる。
【００６６】
（動作例２）
動作例２のコンテンツ配信システムでは、表示装置２０Ａの周辺の人の数、即ち人の混雑度合いに応じて、オブジェクト画像が移動する速さを変化させる。
図２３は、コンテンツ配信システムで実行される動作例２に係る処理を示すシーケンス図である。
まず、表示装置２０Ａの表示制御部２０１は、第１表示制御データに基づいて、サービス画面を表示する（ステップＳ１，Ｓ２）。次に、特定部２０２は、撮像データに基づいて、表示装置２０Ａの周辺に存在する人の数を特定する（ステップＳ３１）。特定部２０２は、撮像データが示す画像内から人の存在を検知し、且つ当該画像内における人の数を数える。
なお、人の数は、携帯端末４０のユーザの数であってもよいし、携帯端末４０のユーザであるか否かを問わず撮像された人の数であってもよい。
【００６７】
次に、特定部２０２は、特定した人の数に応じた人の混雑度を、サーバ装置１０へ通知する（ステップＳ３２）。この混雑度は、表示装置２０Ａが配置された場所の人の混雑度合い、即ち人の多さの指標となる値である。
【００６８】
サーバ装置１０の第２表示制御部１０３は、検知部１０２により表示装置２０Ａへの携帯端末４０の近接が検知されると、特定部２０２から通知された混雑度に応じた速さで第１オブジェクト画像を移動させるように、第２表示制御データを送信する（ステップＳ９Ｂ）。ここでは、第２表示制御部１０３は、混雑度が高いほど第１オブジェクト画像を速く、混雑度が低いほど第１オブジェクト画像をゆっくりと移動させる。表示装置２０Ａの表示制御部２０１は、サーバ装置１０から受信した第２表示制御データに基づいて、表示面２４１に表示されているサービス画面の第１オブジェクト画像を移動させるように、表示部２４を制御する（ステップＳ１０Ｂ）。
【００６９】
図２４は、サービス画面における第１オブジェクト画像の移動を説明する図である。
表示装置２０Ａの周辺の人の数が多く、混雑度が平常時よりも高い場合、各第１オブジェクト画像は、平常時よりも高速に移動する（図２４の上段の画面）。混雑度が平常時以下の場合、各第１オブジェクト画像は、平常時の速さで移動する（図２４の下段の画面）。
【００７０】
表示装置２０Ａの周辺の人の数が多い場合、多数の携帯端末４０によって、コンテンツのダウンロードが要求される場合がある。このような場合に、その場所の混雑状況を反映した速さで第１オブジェクト画像が移動することで、携帯端末４０のユーザは、混雑状況に応じて変化する視覚的な効果を得ることができる。
【００７１】
＜第２実施形態の変形例＞
（１）動作例２のように、人の混雑度に応じて第１オブジェクト画像の移動する方向を変化させる場合、撮像部２５を用いない方法でこれを実現することも可能である。例えば、検知部１０２が受信した、単位時間当たりに携帯端末４０から受信した取得要求の数を用いて、混雑度が特定されてもよい。混雑度が高くなれば、その取得要求の数も増大しやすいからである。そして、第２表示制御部１０３は、単位時間当たりの取得要求の数が多いほど、第１オブジェクト画像の移動を速くする。
この変形例の場合、表示装置２０Ａは撮像部２５を備えなくてよい。また、表示装置２０Ａは特定部２０２の機能を有しなくてよい。
【００７２】
（２）表示装置２０Ａは、撮像部２５を用いて人の存在を検知するのではなく、人感センサ（例えば、赤外線センサ）等のセンサを用いて人の存在を検知してもよい。
【００７３】
（３）動作例１において、表示装置２０Ａと携帯端末４０との位置関係は、図１６に示す３通りの位置関係のいずれかで特定されるのではなく、２通り又は４通り以上で特定されてもよい。そして、その位置関係毎に、オブジェクト画像の移動する方向が異なっていてもよい。また、表示装置２０Ａの周辺の人の混雑度についても、３通り以上で特定され、更にその混雑度毎にオブジェクト画像が移動する速さが異なっていてもよい。
また、表示装置２０Ａと携帯端末４０との位置関係は、方向に限られず、例えば両者の距離であってもよい。
【００７４】
（４）動作例１において、携帯端末４０における第２オブジェクト画像が移動する方向は、表示装置２０Ａと携帯端末４０との位置関係によらず一定であってもよい。動作例２において、携帯端末４０における第２オブジェクト画像の移動する速さを、人の混雑度に応じて変化させてもよい。
【００７５】
［第３実施形態］
本発明の第３実施形態のコンテンツ配信システムは、上述した第２実施形態とは更に別の移動方法により、オブジェクト画像を移動させる。
以下の説明では、上述した第１実施形態の要素と同じ要素については同じ符号を用いて表し、説明を適宜省略する。
【００７６】
図２５は、本実施形態に係るサーバ装置１０が記憶するコンテンツデータベース１４２Ａの構成を示す図である。図２５に示すように、コンテンツデータベース１４２Ａは、コンテンツデータベース１４２と共通するデータに加え、更に、各コンテンツと関連付けてコンテンツ属性が記録されている。コンテンツ属性として、図２５には、ファイル形式（例えば、テキスト、静止画又は動画）、コンテンツの閲覧を推奨するユーザの属性（例えば、性別又は年齢）、時刻又は日付を示す日時情報（例えば、商業施設の営業時間、又は催し物の開催時期）、及び場所を示す場所情報（例えば、商業施設の所在する住所、又は催し物の開催場所）のうちの１つ以上が含まれている。
【００７７】
図２６は、本実施形態のサーバ装置１０の記憶部１４に記憶されるユーザ管理テーブル１４３の構成を示す図である。
ユーザ管理テーブル１４３は、携帯端末４０毎に、ＭＡＣアドレス、ユーザ属性、及び取得済みコンテンツが記録されたテーブルである。ＭＡＣアドレスは、携帯端末４０を一意に識別する識別子である。ＭＡＣアドレス「００：１１：２２：３３：４４：５５」は、携帯端末４０−１を示し、ＭＡＣアドレス「１２：３４：５６：７８：９０：ＡＢ」は、携帯端末４０−２を示すものとする。ユーザ属性は、携帯端末４０のユーザの属性を示す。取得済みコンテンツは、携帯端末４０が取得済みのコンテンツを示す。
【００７８】
ユーザ管理テーブル１４３は、サーバ装置１０の機能により更新される。例えば、ＭＡＣアドレスは、取得要求に含まれることによりサーバ装置１０に通知され、これがユーザ管理テーブル１４３に記録される。ユーザ属性は、携帯端末４０を用いて、ユーザによりサーバ装置１０に登録される。取得済みコンテンツは、ステップＳ１５，Ｓ１６のコンテンツを送信する処理が正常した場合に、コンテンツが携帯端末４０によって取得済みであることが記録される。
【００７９】
本実施形態のサーバ装置１０の第２表示制御部１０３は、コンテンツ属性又はユーザ管理テーブル１４３の情報に基づいて、サービス画面における第１オブジェクト画像の移動方法を変化させる。以下、本実施形態の動作の動作例として、以下の動作例１〜動作例３を説明する。
【００８０】
（動作例１）
動作例１のコンテンツ配信システムでは、コンテンツ属性に応じて、オブジェクト画像を移動させる順番を変化させる。具体的には、第２表示制御部１０３は、コンテンツ属性と、ユーザ管理テーブル１４３に記録されたユーザ属性との一致度合い（一致度）が高いコンテンツと関連付けられている第１オブジェクト画像から順番に移動させる。一致度は、例えば、コンテンツ属性とユーザ属性とで一致する項目が多いほど、高くなる。
【００８１】
図２７は、動作例１に係るサービス画面における第１オブジェクト画像の移動を説明する図である。図２７の上段には、携帯端末４０−１が取得要求を送信した場合の第１オブジェクト画像の移動の様子が示されている。携帯端末４０−１のユーザＵ１は、２０歳の男性である。よって、まず、コンテンツＣｔ１のコンテンツ属性（男性向け、２０代向け）、Ｃｔ４のコンテンツ属性（２０代向け）の順で、ユーザ属性との一致度が高い。よって、まず、コンテンツＣｔ１に対応する第１オブジェクト画像ＤＥ１が移動し、次に、コンテンツＣｔ４に対応する第１オブジェクト画像ＤＥ４が移動する（図２７の上段の第１番目、第２番目の画面）。コンテンツＣｔ２、及びコンテンツＣｔ３については、コンテンツ属性とユーザ属性との一致度に差がない。この場合、第２表示制御部１０３は、コンテンツのファイル形式に応じた順番で、第１オブジェクト画像を移動させる。ここでは、「テキスト」、「静止画」、「動画」の順番とする。このようにする理由は、一般に、テキスト、静止画、動画の順でファイルサイズが小さいので、ファイルサイズが小さいコンテンツほど、それに関連付けられている第１オブジェクト画像の移動が円滑に行われるという考えに基づく。よって、第１オブジェクト画像ＤＥ４の次は、コンテンツＣｔ３に対応する第１オブジェクト画像ＤＥ３が移動し（図２７の上段の第３番目の画面）、図示は省略するが、最後にコンテンツＣｔ２に対応する第１オブジェクト画像ＤＥ２が移動する。
【００８２】
図２７の下段には、携帯端末４０−２が取得要求を送信した場合の第１オブジェクト画像の移動の様子が示されている。携帯端末４０−２のユーザＵ２は、２０歳の女性である。よって、第１オブジェクト画像ＤＥ４、第１オブジェクト画像ＤＥ３、第１オブジェクト画像ＤＥ２、第１オブジェクト画像ＤＥ１の順で、各第１オブジェクト画像が移動することとなる（図２７の下段の画面）。
この動作例１のように、ユーザ属性とコンテンツ属性との一致度が高いコンテンツほど、それに関連付けられている第１オブジェクト画像が先に移動することで、特に閲覧を推奨するコンテンツをユーザに把握させやすくすることができる。
【００８３】
（動作例２）
動作例２のコンテンツ配信システムでは、コンテンツ属性に応じて、オブジェクト画像の表示態様を変化させる。ここでは、第２表示制御部１０３は、コンテンツ属性に含まれる日時情報に応じて、第１オブジェクト画像の表示態様を変化させる。
【００８４】
図２８は、動作例２に係るサービス画面における第１オブジェクト画像の移動を説明する図である。この例では、まず、コンテンツＣｔ１に対応する第１オブジェクト画像ＤＥ１は、上述した第１実施形態と同じ移動をする（図２８の第１〜第３番目の画面）。第１オブジェクト画像ＤＥ２は、移動を開始した後（図２８の第４番目の画面）、表示面２４１の中央付近で、第１オブジェクト画像ＤＥ２Ａに変化する（図２８の第５番目の画面）。第１オブジェクト画像ＤＥ２Ａは、第１オブジェクト画像ＤＥ２を拡大し、且つ「本日開催！」という付加情報を付した画像である。図２８のサービス画面が表示される日付が、日付情報が示す「2016/9/1〜9/3」に一致する場合、コンテンツＣｔ２に特に注目させる目的で、このような表示態様が採用される。その後、第１オブジェクト画像ＤＥ２Ａは第１オブジェクト画像ＤＥ２の表示に戻される（図２８の第６番目の画面）。
この動作例２によれば、ユーザに特に注目させたいコンテンツを目立たせることでき、その結果、ユーザに有用な情報を提供しやすくなる。
なお、表示態様は、第１オブジェクト画像のサイズに限られず、色、形状等の表示の態様を含んでもよい。
【００８５】
（動作例３）
動作例３のコンテンツ配信システムでは、ユーザ管理テーブル１４３に記録されている取得済みのコンテンツの情報に応じて、取得済みコンテンツに関連付けられているオブジェクト画像を移動の対象から除外する。
図２９は、動作例３に係るサービス画面における第１オブジェクト画像の移動を説明する図である。図２９には、既にコンテンツＣｔ３を取得済みである携帯端末４０−１が取得要求を送信した場合の、第１オブジェクト画像の移動の様子が示されている。即ち、第１オブジェクト画像ＤＥ１、第１オブジェクト画像ＤＥ２、第１オブジェクト画像ＤＥ４の順で移動し、第１オブジェクト画像ＤＥ３は移動しない。これにより、ユーザは、取得済みのコンテンツがどれであるかを視覚的に把握しやすくなる。
【００８６】
ステップＳ１５の処理では、コンテンツ送信部１０５は、移動させていない第１オブジェクト画像ＤＥ３に対応するコンテンツＣｔ３を含めないで、コンテンツを送信してもよい。これにより、携帯端末４０は、同一のコンテンツを重複して取得しないようにすることができる。
【００８７】
＜第３実施形態の変形例＞
（１）オブジェクト画像の移動方法を変化させる条件として、表示装置２０の周辺環境が用いられてもよい。周辺環境として、例えば、表示装置２０が置かれた場所の天気、温度、又は湿度がある。この場合、天気が「雨」、温度が極端に高い若しくは低い、又は湿度が極端に高い場合は、ユーザにとって比較的不快な環境である可能性がある。そこで、第２表示制御部１０３は、第１オブジェクト画像が移動する速さを平常時よりも高くする。これにより、ユーザにとって気分が良いものとなる可能性がある。
【００８８】
（２）オブジェクト画像の移動方法を変化させる条件として、場所情報が採用される場合、その場所情報が示す場所と、表示装置２０との距離に応じて、オブジェクト画像の移動する順番が決定されてもよい。この場合、第２表示制御部１０３は、場所情報が示す場所と、表示装置２０との距離が近いコンテンツと関連付けられている第１オブジェクト画像ほど、移動する順番を早くする。このようにすれば、ユーザの位置から距離が近く、訪れやすい場所を、ユーザに把握させやすくすることができる。
【００８９】
（３）オブジェクト画像の移動方法を変化させる条件として、日時情報が採用される場合、その日時情報が示す日時と、現在日時とに応じて、オブジェクト画像の移動する順番が決定されてもよい。この場合、第２表示制御部１０３は、日時情報が示す日時に現在の日時が含まれる場合は、含まれない場合よりも、第１オブジェクト画像の移動する順番を早くする。このようにすれば、現在訪れる価値がある場所を、ユーザに把握させやすくすることができる。
【００９０】
（４）オブジェクト画像の移動方法を変化させる条件として、複数のユーザのコンテンツの閲覧実績が採用されてもよい。例えば、第２表示制御部１０３は、閲覧回数が多いコンテンツと関連付けられている第１オブジェクト画像ほど、移動する順番を早くする。このようにすれば、注目度の高いコンテンツをユーザに把握させやすくすることができる。
【００９１】
（５）オブジェクト画像の移動方法を変化させる条件として、オブジェクト画像の見易さが採用されてもよい。この場合、第２表示制御部１０３は、第１オブジェクト画像に含まれる情報量が多い場合は、それを視認しやすくするために、第１オブジェクト画像の移動を遅くし、第１オブジェクト画像に含まれる情報量が少ない場合は、第１オブジェクト画像の移動をそれよりも速くする。これにより、ユーザは、第１オブジェクト画像に含まれる情報を理解しやすくなる。
【００９２】
（６）オブジェクト画像の移動方法を変化させる条件として、携帯端末４０のユーザによるサービスの利用実績が採用されてもよい。この場合、第２表示制御部１０３は、サービスの利用回数が少ない（例えば、初回）場合は、第１オブジェクト画像の移動する速さを平常時の速さとし、利用回数が多い（例えば、２回目以降）場合は、第１オブジェクト画像の移動を速くしてもよい。これにより、ユーザにとって、サービスを利用しやすくなる可能性がある。
【００９３】
上述したオブジェクト画像の移動方法、及びオブジェクト画像を移動させる条件は、一例に過ぎない。例えば、ここまでに説明したオブジェクト画像の移動方法を２つ以上組み合わせた移動方法が採用されてもよい。また、移動方法を変化させる条件と移動方法との関係も、変更されてもよい。また、表示装置２０は、オブジェクト画像の移動に際して、音声（効果音）を発してもよい。また、携帯端末４０は、表示装置２０における第１オブジェクト画像の移動方法に応じた移動方法で、第２オブジェクト画像を移動させてもよい。
【００９４】
［変形例］
本発明は、上述した実施形態と異なる形態で実施してもよい。また、以下に示す変形例は、各々を組み合わせてもよい。
上述した第１〜第３実施形態の構成は、適宜組み合わされてもよい。
上述した実施形態では、表示装置２０（又は表示装置２０Ａ。以下同じ。）は、第２表示制御データに基づく第１オブジェクト画像の移動が完了した後、完了通知信号をサーバ装置１０へ送信していた。これに代えて、表示装置２０は、第１オブジェクト画像の移動の完了前に、完了通知信号をサーバ装置１０へ送信してもよい。これにより、通信遅延等を原因として、表示装置２０における第１オブジェクト画像の移動するタイミングと、携帯端末４０における第２オブジェクト画像の移動するタイミングとが大きく乖離する可能性が低くなる。
又は、サーバ装置１０は、表示装置２０からの完了通知信号を待たず、携帯端末４０へ第３表示制御データを送信してもよい。この場合、サーバ装置１０は、第２表示制御データを表示装置２０へ送信するのと同じタイミングで、携帯端末４０へ第３表示制御データを送信してもよい。若しくは、サーバ装置１０は、第２表示制御データを表示装置２０へ送信してから所定時間が経過した後に、携帯端末４０へ第３表示制御データを送信してもよい。
【００９５】
上述した実施形態では、検知部１０２は、アクセスポイント３０との間に通信路を確立した携帯端末４０が、そのアクセスポイント３０と同じ場所に配置された表示装置２０に近接したことを検知していた。これに代えて、別の近接の検知方法が採用されてもよい。例えば、表示装置２０及び携帯端末４０が、Ｂｌｕｅｔｏｏｔｈ（登録商標）等の規格に準拠した近距離無線通信を行う場合、検知部１０２は、携帯端末４０からの近距離無線通信に係る電波の受信電界強度に基づいて、表示装置２０と携帯端末４０との距離を特定して、携帯端末４０の近接を検知してもよい。これ以外にも、装置間の近接を検知するための種々の手段を採用し得る。
【００９６】
表示装置２０は、２以上の携帯端末４０からの取得要求に応じた表示制御を、同時期に行ってもよい。例えば、表示装置２０は、Ｎ台（Ｎは２以上の自然数）から同時期に取得要求を受信した場合、一の第１オブジェクト画像を２以上の数（例えば、Ｎ個）の第１オブジェクト画像に分割してから、移動させてもよい。
表示装置２０は、複数の第１オブジェクト画像を１つずつ移動させるのではなく、２以上の第１オブジェクト画像を同時に移動させてもよい。
【００９７】
また、コンテンツ配信システムにおいて、ダウンロードするコンテンツを携帯端末４０のユーザが選択できる構成は採られてもよい。例えば、ユーザは、携帯端末４０又は表示装置２０を用いて、ダウンロードするコンテンツを選択する。この場合、表示装置２０、及び携帯端末４０は、ダウンロードするコンテンツと関連付けられているオブジェクト画像を対象として移動させるとよい。
【００９８】
上述した実施形態で説明した機能のうち、上述した実施形態でサーバ装置１０が有していた機能の一部又は全部を、サーバ装置１０以外の装置が有してもよい。例えば、サーバ装置１０の機能、又はアクセスポイントの機能を、表示装置２０が有してもよい。このように、本発明のコンテンツ配信システムの各機能を実現する主体は問わない。また、コンテンツ配信システムの各装置で実行される処理の順番は、適宜入れ替えられてもよい。また、上述した実施形態で説明した構成、及び動作の一部が省略されてもよい。
また、上述した実施形態の説明に用いた各画面の構成は、あくまで一例である。例えば、表示装置２０が表示するオブジェクト画像が移動する方向は、どの端部に近づく方向であってもよい。また、携帯端末４０が表示するオブジェクト画像は、どの端部の位置から移動してもよい。
【００９９】
上述した実施形態のコンテンツ配信システムが実現する各機能は、１又は複数のハードウェア回路により実現されてもよいし、１又は複数のプログラムを実行することにより実現されてもよいし、これらの組み合わせにより実現されてもよい。コンテンツ配信システムの機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、コンテンツ配信方法として把握することも可能である。
本願の発明は、上述した実施形態に限定されることなく、請求の範囲に記載した発明の範囲内で種々の変形が可能であり、それらも本発明の範囲内に含まれることはいうまでもない。
【符号の説明】
【０１００】
１…コンテンツ配信システム、１０…サーバ装置、１０１…第１表示制御部、１０２…検知部、１０３…第２表示制御部、１０４…第３表示制御部、１０５…コンテンツ送信部、１１，２１，４１…制御部、１２…第１通信部、１３…第２通信部、１４，２３，４３…記憶部、１４１…制御プログラム、１４２，１４２Ａ…コンテンツデータベース、１４３…ユーザ管理テーブル、２０，２０−１，２０−２，２０−３，２０Ａ…表示装置、２０１…表示制御部、２０２…特定部、２２，４２…通信部、２４，４４…表示部、２４１，４４１…表示面、３０，３０−１，３０−２，３０−３…アクセスポイント、４０，４０−１，４０−２，４０−３…携帯端末、４０１…表示制御部、４０２…コンテンツ管理部、４５…操作部。
【図１】
2018049197.tif 000003
【図２】
2018049197.tif 000004
【図３】
2018049197.tif 000005
【図４】
2018049197.tif 000006
【図５】
2018049197.tif 000007
【図６】
2018049197.tif 000008
【図７】
2018049197.tif 000009
【図８】
2018049197.tif 000010
【図９】
2018049197.tif 000011
【図１０】
2018049197.tif 000012
【図１１】
2018049197.tif 000013
【図１２】
2018049197.tif 000014
【図１３】
2018049197.tif 000015
【図１４】
2018049197.tif 000016
【図１５】
2018049197.tif 000017
【図１６】
2018049197.tif 000018
【図１７】
2018049197.tif 000019
【図１８】
2018049197.tif 000020
【図１９】
2018049197.tif 000021
【図２０】
2018049197.tif 000022
【図２１】
2018049197.tif 000023
【図２２】
2018049197.tif 000024
【図２３】
2018049197.tif 000025
【図２４】
2018049197.tif 000026
【図２５】
2018049197.tif 000027
【図２６】
2018049197.tif 000028
【図２７】
2018049197.tif 000029
【図２８】
2018049197.tif 000030
【図２９】
2018049197.tif 000031